(57)【要約】【課題】少ないプリセットテーブルで使用者の所望する画像を得ることを容易にする超音波診断装置を提供する。【解決手段】エコー信号を増幅する高周波増幅部３と、特定の周波数成分を通過させる高周波フィルタ部５と、検波部６と、検波されたエコー信号の利得を制御する検波信号利得制御部７と、検波信号利得制御部７から出力されたエコー信号から特定の周波数成分を通過させる検波信号フィルタ部８と、断層画像を生成する走査変換部９と、表示部１０と、それぞれの制御値を生成する高周波利得制御値発生部１００、高周波フィルタ制御値発生部２００、検波信号利得制御発生部３００および検波信号フィルタ制御値発生部４００とを備え、複数の制御値設定テーブルの中間値を生成する。【選択図】　図１
2004049678.tif 000002
【特許請求の範囲】
【請求項１】
超音波信号を送受信するプローブと、前記プローブへ超音波信号を送信する送信部と、前記プローブで得られたエコー信号から断層データを生成する断層データ生成部と、前記断層データ生成部を制御するための制御値が記憶された記憶手段と、前記制御値を発生する制御値発生部とを備え、
前記制御値発生部は、設定済の前記制御値が記憶された制御値設定テーブルと、前記制御値設定テーブルの制御値に重み付けを行う重み付け手段と、前記重み付け手段の出力を加算する加算器とを有することを特徴とする超音波診断装置。
【請求項２】
超音波信号を送受信するプローブと、前記プローブへ超音波信号を送信する送信部と、前記プローブで得られたエコー信号を増幅する利得可変な高周波増幅部と、前記高周波増幅部で振幅を制御されたエコー信号から任意の周波数成分を通過させる高周波フィルタ部と、前記高周波フィルタ部を通過したエコー信号を検波する検波部と、検波されたエコー信号の利得を制御する検波信号利得制御部と、前記検波信号利得制御部から出力されたエコー信号から任意の周波数成分を通過させる検波信号フィルタ部と、前記高周波増幅部と前記高周波フィルタ部と前記検波信号利得制御部と前記検波信号フィルタ部とをそれぞれ制御するためにそれぞれの制御値が記憶された記憶手段と、前記制御値を発生する少なくとも１つの制御値発生部とを備え、
前記制御値発生部は、設定済の前記制御値が記憶された制御値設定テーブルと、前記制御値設定テーブルの制御値に重み付けを行う重み付け手段と、前記重み付け手段の出力を加算する加算器とを有することを特徴とする超音波診断装置。
【請求項３】
超音波信号を送受信するプローブと、前記プローブへ超音波信号を送信する送信部と、前記プローブで得られたエコー信号を増幅する利得可変な高周波増幅部と、前記高周波増幅部で振幅を制御されたエコー信号から任意の周波数成分を通過させる高周波フィルタ部と、前記高周波フィルタ部を通過したエコー信号を検波する検波部と、検波されたエコー信号の利得を制御する検波信号利得制御部と、前記検波信号利得制御部から出力されたエコー信号から任意の周波数成分を通過させる検波信号フィルタ部と、前記高周波増幅部と前記高周波フィルタ部と前記検波信号利得制御部と前記検波信号フィルタ部とをそれぞれ制御するためにそれぞれの制御値が記憶された記憶手段と、前記制御値を発生する少なくとも２つの制御値発生部とを備え、
前記制御値発生部は、設定済の前記制御値が記憶された制御値設定テーブルと、前記制御値設定テーブルの制御値に重み付けを行う重み付け手段と、前記重み付け手段の出力を加算する加算器と、それぞれの前記重み付け手段の設定値を共通に設定するための重み付け係数設定部とを有することを特徴とする超音波診断装置。
【請求項４】
前記制御値設定テーブルは、受信エコー信号が反射される距離に応じた制御値が書き込まれていることを特徴とする請求項２または請求項３記載の超音波診断装置。
【請求項５】
前記重み付け手段は、受信エコー信号が反射される距離に応じた重み付けを行うことを特徴とする請求項２または請求項３記載の超音波診断装置。
【発明の詳細な説明】
【０００１】
【発明の属する技術分野】
本発明は生体内の断層画像を得るために、装置のパラメータの設定等を診断領域や被検体に応じて、容易に最適化が行える超音波診断装置に関するものである。
【０００２】
【従来の技術】
従来、このような装置のパラメータの設定値等の変更に関する技術としては、特開平１１−２０６７６７号公報に示すものがある。これは、装置の起動時等に装置の状態を任意に設定するためのプリセットと呼ばれる登録機能を有する装置について、制御値設定テーブルであるプリセットデータを変更する場合、変更しようするパラメータの登録（変更）の時間を短縮し、操作上の手間を低減することを目的としている。
【０００３】
また、このような装置では、使用者の好み、および患者の体型等を考慮し、同一の機能ブロックに対して、数種類の複数のパラメータを設定できるように制御値設定テーブルを作成しておき、装置の使用者が操作時に適宜最適な制御値設定テーブルに対応したプリセットを選択して使用するのが一般的である。
【０００４】
【発明が解決しようとする課題】
しかしながら、上記従来の超音波診断装置においては、たびたび変更されるパラメータが使用頻度、使用時間等により変更の操作が簡単になるだけであり、予め設定されている制御値設定テーブルに、望む制御値設定テーブルに対応したプリセットがない場合には装置の使用者がパラメータ値を設定する必要が生ずる。この場合、変更後のパラメータ値の妥当性の判断は、装置に関して十分な知識を有した者でないと困難であるため、予め多くの制御値設定テーブルを作成しておき、その中から選択できるようにしておく必要があること、および選択された制御値設定テーブル内の制御値の微調整が必要な場合に、複数の制御値間に関連性があるため、患者の診察時という限られた時間内に使用者が所望する画像を得るための制御値を決定することは容易ではないことという問題があった。
【０００５】
本発明は上記問題を解決するためになされたもので、少ない制御値設定テーブルで容易に使用者の所望する画像を得ることのできる超音波診断装置を提供することを目的とする。
【０００６】
【課題を解決するための手段】
上記目的を達成するため、本発明の超音波診断装置は、超音波信号を送受信するプローブと、前記プローブへ超音波信号を送信する送信部と、前記プローブで得られたエコー信号から断層データを生成する断層データ生成部と、前記断層データ生成部を制御するための制御値が記憶された記憶手段と、前記制御値を発生する制御値発生部とを備え、
前記制御値発生部は、設定済の前記制御値が記憶された制御値設定テーブルと、前記制御値設定テーブルの制御値に重み付けを行う重み付け手段と、前記重み付け手段の出力を加算する加算器とを有する構成を有している。
【０００７】
この構成により、既存の複数の制御値設定テーブルから新規に制御値設定テーブルを生成することが可能となり、予め格納してある制御値設定テーブルの数以上の制御値設定テーブルが生成できるので、断層データ生成部用の制御値設定テーブルを少なくできるとともに、容易に使用者の所望する画像を得ることができる。
【０００８】
また、本発明の超音波診断装置は、超音波信号を送受信するプローブと、前記プローブへ超音波信号を送信する送信部と、前記プローブで得られたエコー信号を増幅する利得可変な高周波増幅部と、前記高周波増幅部で振幅を制御されたエコー信号から任意の周波数成分を通過させる高周波フィルタ部と、前記高周波フィルタ部を通過したエコー信号を検波する検波部と、検波されたエコー信号の利得を制御する検波信号利得制御部と、前記検波信号利得制御部から出力されたエコー信号から任意の周波数成分を通過させる検波信号フィルタ部と、前記高周波増幅部と前記高周波フィルタ部と前記検波信号利得制御部と前記検波信号フィルタ部とをそれぞれ制御するためにそれぞれの制御値が記憶された記憶手段と、前記制御値を発生する少なくとも１つの制御値発生部とを備え、
前記制御値発生部は、制御値設定テーブルと重み付け手段と加算器とを有する構成を有している。
【０００９】
この構成により、既存の複数の制御値設定テーブルから新規に制御値設定テーブルを生成することが可能となり、予め格納してある制御値設定テーブルの数以上の制御値設定テーブルが生成でき、少ない制御値設定テーブルで容易に使用者の所望する画像を得ることができる。
【００１０】
さらに、本発明の超音波診断装置は、超音波信号を送受信するプローブと、前記プローブへ超音波信号を送信する送信部と、前記プローブで得られたエコー信号を増幅する利得可変な高周波増幅部と、前記高周波増幅部で振幅を制御されたエコー信号から任意の周波数成分を通過させる高周波フィルタ部と、前記高周波フィルタ部を通過したエコー信号を検波する検波部と、検波されたエコー信号の利得を制御する検波信号利得制御部と、前記検波信号利得制御部から出力されたエコー信号から任意の周波数成分を通過させる検波信号フィルタ部と、前記高周波増幅部と前記高周波フィルタ部と前記検波信号利得制御部と前記検波信号フィルタ部とをそれぞれ制御するためにそれぞれの制御値が記憶された記憶手段と、前記制御値を発生する少なくとも２つの制御値発生部とを備え、
前記制御値発生部は、制御値設定テーブルと重み付け手段と加算器とを有するとともに、それぞれの前記重み付け手段の設定値が重み付け係数設定部により、共通に設定される構成を有している。
【００１１】
この構成により、複数の制御値設定テーブルの中間値を生成することが可能となり、かつ種類の異なる制御値設定テーブルを同時に生成することが可能となるため、制御値の適切な範囲を逸脱することなく予め格納してある制御値設定テーブルの数以上の制御値が生成できることとなる。
【００１２】
さらに、本発明の超音波診断装置は、前記制御値設定テーブルが、受信エコー信号が反射される距離に応じた制御値が書き込まれている構成を有している。
【００１３】
この構成により、受信エコー信号の深度で制御された既存の複数の制御値設定テーブルから新規の制御値設定テーブルを生成することができる。
【００１４】
さらに、本発明の超音波診断装置は、前記重み付け手段が、受信エコー信号が反射される距離に応じた重み付けを行う構成を有している。
【００１５】
この構成により、複数の制御値設定テーブル間の中間の制御値を深度に応じて生成できる。
【００１６】
【発明の実施の形態】
以下、本発明の実施の形態について、図面を用いて説明する。
【００１７】
本発明の第１の実施の形態の超音波診断装置を図１に示す。
【００１８】
図１において、本発明の第１の実施の形態の超音波診断装置は、超音波信号を送受信するプローブ１と、プローブ１を駆動する送信部２と、送信部２が駆動することによってプローブ１から得られた高周波のエコー信号を増幅する利得可変な高周波増幅部３と、高周波増幅部３で振幅を制御されたエコー信号から可変かつ特定の周波数成分を通過させる高周波フィルタ部５と、高周波フィルタ部５を通過したエコー信号を検波する検波部６と、検波されたエコー信号の利得を制御する検波信号利得制御部７と、検波信号利得制御部７から出力されたエコー信号から可変かつ特定の周波数成分を通過させる検波信号フィルタ部８と、エコー信号から断層画像を生成するために走査方向を変換する走査変換部９と、断層画像を表示する表示部１０と、高周波増幅部３を制御するための制御値を生成する高周波利得制御値発生部１００と、高周波利得制御値発生部１００が生成した制御値を蓄え送受信タイミングにあわせてリアルタイムに読み出し高周波増幅部３の利得を制御する高周波利得制御用ラインメモリ１１と、高周波フィルタ部５を制御するための制御値を生成する高周波フィルタ制御値発生部２００と、高周波フィルタ制御値発生部２００が生成した制御値を蓄え送受信タイミングにあわせてリアルタイムに読み出し高周波フィルタ部５の通過周波数を制御する高周波フィルタ制御ラインメモリ１２と、検波信号利得制御部７を制御するための制御値を生成する検波信号利得制御発生部３００と、検波信号利得制御発生部３００が生成した制御値を蓄え送受信タイミングにあわせてリアルタイムに読み出し検波信号利得制御部７の利得を制御する検波信号利得制御用ラインメモリ１３と、検波信号フィルタ部８を制御するための制御値を生成する検波信号フィルタ制御値発生部４００と、検波信号フィルタ制御値発生部４００が生成した制御値を蓄え送受信タイミングにあわせてリアルタイムに読み出し検波信号フィルタ部８の通過周波数を制御する検波信号フィルタ制御用ラインメモリ１４とを有している。また、高周波利得制御値発生部１００、高周波フィルタ制御値発生部２００、検波信号利得制御発生部３００および検波信号フィルタ制御値発生部４００の各制御発生部の内部構成は共通であり、制御値が受信超音波信号の深度方向の順序に並んで格納してある制御値設定テーブルａ１３１〜制御値設定テーブルｄ１３４、ａ２３１〜ｄ２３４、ａ３３１〜ｄ３３４、ａ４３１〜ｄ４３４と、制御値設定テーブルからのデータそれぞれに重み付けを行う重み付け１２１〜重み付け１２４、２２１〜２２４、３２１〜３２４、４２１〜４２４と、重み付け手段の出力を加算する加算器１１０、２１０、３１０、４１０とを有している。
【００１９】
以上のように構成された超音波診断装置について、図１を用いてその動作を説明する。
【００２０】
送信部２は、超音波診断装置に接続されているプローブ１の種類、表示モードに応じて、図示しない制御部が発生する超音波送信のためのトリガパルスを受信し、プローブ１へ超音波信号を出力する。プローブ１から送信された超音波信号は、体内の各組織で反射されエコー信号として再びプローブ１にて受信される。受信エコー信号は、高周波増幅部３で周波数によるエコー信号の減衰に応じた利得でエコー信号を増幅し、高周波フィルタ部５がエコー信号から減衰によって生じたエコー信号の周波数スペクトラム分布に応じて必要な周波数成分を通過させる。検波部６は高周波フィルタ部５からのエコー信号を検波し表示部１０で適切な輝度になるよう検波信号利得制御部７で利得を調整されて、表示部１０の解像度にあわせて検波信号から不要な高域成分を断層画像信号から検波信号フィルタ部８で取り除き、走査変換部９で２次元画像に変換されたのち断層画像として表示部１０に表示される。
【００２１】
ここで、高周波利得制御用ラインメモリ１１、高周波フィルタ制御用ラインメモリ１２、検波信号利得制御用ラインメモリ１３および検波信号フィルタ制御用ラインメモリ１４の各ラインメモリは送信部２に加わるトリガパルスに同期して、それぞれ各ラインメモリに記憶されている制御値を高周波増幅部３、高周波フィルタ部５、検波信号利得制御部７および検波信号フィルタ部８へ出力し、受信超音波信号の深度に応じた制御を行う。また、高周波利得制御用ラインメモリ１１、高周波フィルタ制御用ラインメモリ１２、検波信号利得制御用ラインメモリ１３および検波信号フィルタ制御用ラインメモリ１４の各ラインメモリへのデータの格納は、各々高周波利得制御値発生部１００、高周波フィルタ制御値発生部２００、検波信号利得制御発生部３００、検波信号フィルタ制御値発生部４００で演算されデータバス１５を介して行われる。
【００２２】
高周波利得制御値発生部１００、高周波フィルタ制御値発生部２００、検波信号利得制御発生部３００および検波信号フィルタ制御値発生部４００の動作は同じであるため、高周波利得制御値発生部１００を例として説明する。ここで、制御値設定テーブルａ〜ｄについては、高周波利得制御値発生部１００、高周波フィルタ制御値発生部２００、検波信号利得制御発生部３００および検波信号フィルタ制御値発生部４００のそれぞれに存在しているが、これは超音波診断装置をある特定のモードとするためには、例えばそれぞれ制御値設定テーブルａの設定値を使用する必要があるために、このように記載している。
【００２３】
制御値設定テーブル群１３０の制御値設定テーブルａ１３１〜ｄ１３４には被検体の減衰の大きさや必要とする分解能に応じて設定された制御値が格納されており、重み付け群１２０で制御値設定テーブルａ１３１〜ｄ１３４から読み出された制御値に重み付けを行い加算器１１０で加算し最終的な制御値を得る。図１においては、重み付け群１２０、２２０、３２０、４２０の各重み付けは独立しているものとする。最終的な制御値はデータバスを１５を介して高周波利得制御用ラインメモリ１１に格納され、トリガパルスに同期して高周波利得制御用ラインメモリ１１から順次読み出されることにより受信超音波信号の深度に応じた制御値が与えられる。高周波フィルタ制御値発生部２００、検波信号利得制御発生部３００、検波信号フィルタ制御値発生部４００の動作も同様であり、各最終制御値は対応するそれぞれのラインメモリ１２〜１４に送られ順次読み出されることにより深度に応じた制御値が与えられる。
【００２４】
以上のように本発明の第１の実施の形態によれば、複数の制御値設定テーブルからの設定値に重みを与える重み付け手段と各重み付け手段の出力を加算する加算器を設けることにより、複数の制御値設定テーブルの中間値を生成することが可能となり、予め格納してある制御値設定テーブルの数以上の制御値が生成でき、重みを変更するだけで検者が必要とする制御値設定テーブルを細かくほぼ無段階に生成することがことができる。本発明では例として断層データ生成部を構成する高周波増幅部３、高周波フィルタ部５、検波信号利得制御部７、および検波信号フィルタ部８といった複数の回路ブロックを制御する説明を行ったが、いずれか１つを制御する構成で実施することももちろん可能である。
【００２５】
次に本発明の第２の実施の形態の超音波診断装置を図２に示す。
【００２６】
図２において、本発明の第２の実施の形態の超音波診断装置は、第１の実施の形態に、共通の重み付け係数を与える共通重み付け係数発生器５００が追加されている構成である。
【００２７】
以上のように構成された超音波診断装置について、図２を用いてその動作を説明する。
【００２８】
本発明では共通重み付け係数発生器５００を除いては動作は実施の形態１と同じであるため説明は省略する。実施の形態１では各重み付け群１２０、２２０、３２０、４２０に与える係数は独立であるが、ここでは、共通重み付け係数発生器５００を設けて係数を共通化している。
【００２９】
係数の対応は、制御値設定テーブルａの組に対する第１の共通重み付け係数ａ５０１と重み付け１２１、２２１、３２１および４２１とが対応し、制御値設定テーブルｂの組に対する第２の共通重み付け係数ｂ５０２と重み付け１２２、２２２、３２２および４２２とが対応し、制御値設定テーブルｃの組に対する第３の共通重み付け係数ｃ５０３と重み付け１２３、２２３、３２３および４２３とが対応し、制御値設定テーブルｄの組に対する第４の共通重み付け係数ｄ５０４と重み付け１２４、２２４、３２４および４２４とが対応する。
【００３０】
ここで、例えば制御値設定テーブルａは高分解の設定とし、制御値設定テーブルｄは高感度の設定とし、残りの制御値設定テーブルｂおよび制御値設定テーブルｃはその中間の設定であるものとする。重み付けが共通なため高周波利得制御値発生部１００、高周波フィルタ制御値発生部２００、検波信号利得制御発生部３００および検波信号フィルタ制御値発生部４００からは同じ重みで同じ制御値設定テーブルの組から制御値が計算される。
【００３１】
以上のように、本発明の第２の実施の形態によれば、複数の制御値設定テーブルからの設定値に重みを与える重み付け手段と各重み付け手段の出力を加算する加算器と、共通重み付け係数発生器を設けることにより、複数の制御値設定テーブルの中間値を生成することが可能で、かつ種類の異なる制御値設定テーブルを同時に生成することが可能となるため、超音波診断装置の安全性の観点から制御値の適切な範囲を逸脱することなく予め格納してある制御値設定テーブルの数以上の制御値設定テーブルが生成でき、重みを変更するだけで検者が必要とする制御値設定テーブルを細かくほぼ無段階に得ることがことができる。なお、本発明では例として高周波増幅部３、高周波フィルタ部５、検波信号利得制御部７、および検波信号フィルタ部８の複数構成を制御する説明を行ったが、前記４つの回路ブロック中のいずれか２つ以上の構成で実施してもよい。
【００３２】
次に本発明の第３の実施の形態の超音波診断装置における制御値発生部のブロック図を図３に示す。
【００３３】
図３は本発明の実施の形態１及び２における、高周波増幅部３、高周波フィルタ部５、検波信号利得制御部７、および検波信号フィルタ部８に使用できる構成で、制御値設定テーブル群２２は受信超音波信号の深度に対応して順次制御データが格納される複数の制御値設定テーブル、重み付け群２１は制御値設定テーブル群２２からの制御値に重み付けを行う複数の重み付け手段、加算器２０は複数の重み付け手段２１からの制御値を加算する加算器である。
【００３４】
以上のように構成された超音波診断装置について、図３を用いてその動作を説明する。制御値設定テーブルａ〜ｄにはエコー信号の深度方向に制御値が順次格納されており、図において対応する重み付け手段で係数が乗算される。ここで、制御値設定テーブル群２２の４つの制御値設定テーブルａ〜ｄうち１つを選択する場合は重み付け係数ａ〜ｄのうち１つに”１”を与え、残り３つを”０”にする。２つの制御値設定テーブルの中間の制御値を生成するには次のように実現する。例えば、制御値設定テーブルａとｂの中間値を得る場合、重み付け係数ａに０．５、重み付け係数ｂに０．５を与える。２つの係数の和を一定として、相互の割合を変化させることによって制御値設定テーブルａよりの設定、制御値設定テーブルｂよりの設定が生成可能である。他のテーブル間での中間値は同様の方法で生成できる。また、制御値設定テーブルは最大と最低の制御値を有する少なくとも２種類の制御値設定テーブルがあれば中間の制御値からなる制御値設定テーブルは生成可能である。
【００３５】
以上のように本発明の第３の実施の形態によれば、受信超音波信号の深度に対応して順次制御データが格納される複数の制御値設定テーブルと、制御値設定テーブルからの制御値に重み付けを行う複数の重み付け手段と、複数の重み付け手段からの制御値を加算する加算器を設けることにより、受信エコー信号の深度で制御された既存の複数の制御値設定テーブルから新規の制御値設定テーブルを生成することができる。
【００３６】
次に本発明の第４の実施の形態の超音波診断装置における制御値発生部のブロック図と重み付け係数例を図４に示す。
【００３７】
図４（Ａ）は本発明実施の実施の形態１及び２における、高周波増幅部３、高周波フィルタ部５、検波信号利得制御部７、および検波信号フィルタ部８に使用できる構成で、制御値設定テーブル群３２は深度に対応して順次制御データが格納される複数の制御値設定テーブル、重み付け群３１は制御値設定テーブル群３２からの制御値に深度に応じた係数を与える複数の重み付け手段、加算器３０は複数の重み付け群３１からの制御値を加算する加算器である。
【００３８】
以上のように構成された超音波診断装置について、図４（Ｂ）を用いてその動作を説明する。図３の構成では重み付け係数ａ〜ｄが固定値であるが、図４の構成では重み付けテーブルａ〜ｄによって重み付け係数ａ〜ｄが深度に応じて変化させられる。図４（Ｂ）は重み付けテーブルａ〜ｄに書き込まれた重み付け係数ａ〜ｄの値の例で、横軸は深度、縦軸は係数である。ここで、浅い部分から深い部分にかけて時系列順に得られるエコー信号に対して、始めに得られるエコー信号すなわち人体内部の浅い部分では、制御値設定テーブルａ、人体内部の深い部分になるほど制御値設定テーブルｂ、ｃ、ｄを使用するものとすると、図示するように浅い部分では重み付け係数ａを１．０とし、深度が上がるに従って重み付け係数ａが小さく重み付け係数ｂが大きくなるよう設定しておく。同様に深度が上がるに従って重み付け係数を入れ換えることで深度に応じた制御値設定テーブルの適用が可能となる。ここで、すべての重み付け係数の和は図３の構成の場合と同様に一定としておく。
【００３９】
以上のように本発明の第４の実施の形態によれば、深度に対応して順次制御データが格納される複数の制御値設定テーブルと、制御値設定テーブルからの制御値に深度に応じた重み付け係数を与える複数の重み付け手段と、複数の重み付け手段からの制御値を加算する加算器とを設けることにより、複数の制御値設置テーブル間の中間の制御値設置テーブルを受信エコー信号の深度に応じて生成できる。
【００４０】
【発明の効果】
以上のように本発明は、断層データ生成部を制御するための制御値を発生する制御値発生部が、制御値設定テーブルと重み付け手段と加算器とを有することにより、少ないプリセットテーブルで容易に使用者の所望する画像を得ることができるという効果を有する超音波診断装置を提供することができるものである。
【図面の簡単な説明】
【図１】本発明の第１の実施の形態における超音波診断装置のブロック図
【図２】本発明の第２の実施の形態における超音波診断装置のブロック図
【図３】本発明の第１と第２の実施の形態における制御値発生部のブロック図
【図４】（Ａ）本発明の第１と第２の実施の形態における制御値発生部のブロック図
（Ｂ）図４（Ａ）の構成における重み付け係数の例を示す図
【符号の説明】
１　プローブ
２　送信部
３　高周波増幅部
５　高周波フィルタ部
６　検波部
７　検波信号利得制御部
８　検波信号フィルタ部
９　走査変換部
１０　表示部
１１　高周波利得制御用ラインメモリ
１２　高周波フィルタ制御ラインメモリ
１３　検波信号利得制御用ラインメモリ
１４　検波信号フィルタ制御用ラインメモリ
１５　データ転送バス
１００　高周波利得制御値発生部
１１０、２１０、３１０、４１０　加算器
１２０、２２０、３２０、４２０　重み付け群
１３０、２３０、３３０、４３０　制御値設定テーブル群
２００　高周波フィルタ制御値発生部
３００　検波信号利得制御値発生部
４００　検波信号フィルタ制御値発生部
５００　共通重み付け係数発生器
【図１】
2004049678.tif 000003
【図２】
2004049678.tif 000004
【図３】
2004049678.tif 000005
【図４】
2004049678.tif 000006